(57)【要約】【課題】処理槽を小さくして装置全体を小型化することで処理液の使用量を低減して槽内が清浄で循環効率が向上するウエット処理装置を提供する。【解決手段】複数の被処理物１を空中保持する搬送冶具１２と、この搬送冶具１２の両下端に係合して所定方向に誘導して搬送するレール体１４と、このレール体１４の下部に少なくとも１つ以上配置されて被処理物１を浸漬させてウエット処理する処理液を貯留した処理槽１８と、レール体１４の下部で処理槽１８を昇降可能に保持して搬送冶具１２を搬送して待機する被処理物１の空中保持した下部から処理槽１８を上昇させて処理液に浸漬させてウエット処理する昇降手段１６とを備える。【選択図】      図１
2004216237.tif 000002
【特許請求の範囲】
【請求項１】
複数の被処理物を空中保持する搬送冶具と、
前記搬送冶具の両下端に係合して所定方向に誘導して搬送するレール体と、
前記レール体の下部に少なくとも１つ以上配置されて前記被処理物を浸漬させてウエット処理する処理液を貯留した処理槽と、
前記レール体の下部で前記処理槽を昇降可能に保持して前記搬送冶具を搬送して待機する前記被処理物の空中保持した下部から前記処理槽を上昇させて前記処理液に浸漬させてウエット処理する昇降手段とを備えたことを特徴とするウエット処理装置。
【請求項２】
請求項１に記載のウエット処理装置において、
前記搬送冶具は、前記被処理物を複数収容する籠部と、この籠部を吊り下げる上部から両側に延在する枠部と、この枠部の下部に延在して前記レール体に係合する下端部とを備え、前記レール体に前記下端部を係合して前記籠部を吊設した状態にすることで下部から前記処理槽を上昇させて前記ウエット処理することを特徴とするウエット処理装置。
【請求項３】
請求項１に記載のウエット処理装置において、
前記搬送冶具は、前記被処理物を少なくとも１つ保持する保持部と、この保持部を複数吊り下げる上部から両側に延在する枠部と、この枠部の下部に延在して前記レール体に係合する下端部とを備え、前記レール体に前記下端部を係合して前記保持部を複数吊設した状態にすることで下部から前記処理槽を上昇させて前記ウエット処理することを特徴とするウエット処理装置。
【請求項４】
請求項１乃至３のいずれかに記載のウエット処理装置において、
前記レール体は、前記搬送冶具を回転式のローラ、チェーン、ベルトなどの搬送手段を用いることで次の処理工程に水平搬送することを特徴とするウエット処理装置。
【請求項５】
請求項１乃至４のいずれかに記載のウエット処理装置において、
前記昇降手段は、前記処理槽をモータまたはシリンダなどによる推力の上下動機構により昇降させることを特徴とするウエット処理装置。
【請求項６】
請求項１乃至５のいずれかに記載のウエット処理装置において、
前記処理槽は、オーバーフロー槽に形成し、このオーバーフローした処理液が配管を介してポンプ及びフィルタに供給されて濾過することで再び槽内に循環することを特徴とするウエット処理装置。
【請求項７】
請求項６に記載のウエット処理装置において、
前記処理槽は、前記昇降手段により昇降する際、前記ポンプ及びフィルタを接続する前記配管に柔軟性を有したフレキシブル配管や回転継ぎ手を介在することで負荷を掛けないように考慮して設けたことを特徴とするウエット処理装置。
【請求項８】
請求項１乃至７のいずれかに記載のウエット処理装置において、
前記処理槽、レール体、及び昇降手段は、一体に周囲を囲んでユニット化する本体を更に備えて内蔵していることを特徴とするウエット処理装置。
【請求項９】
請求項１乃至８のいずれかに記載のウエット処理装置において、
前記本体は、前記処理槽を１槽毎にユニット分割し、目的に応じて前記処理槽を複数直列に接続して構成することを特徴とするウエット処理装置。
【発明の詳細な説明】
【０００１】
【発明の属する技術分野】
本発明はウエット処理装置に係り、より詳細には、レンズや金属部品などの被処理物を製造工程時に処理液を貯留した処理槽内に浸漬させて洗浄、剥離、成膜、リンスなどのウエット処理を行うウエット処理装置に関する。
【０００２】
【従来の技術】
【特許文献１】
特開平８−３１０６３５号公報（第４頁、第２図）
【０００３】
従来、ウエット処理装置は、例えば、レンズの薬液洗浄、成膜（コーティング）、リンスなどの処理工程、または金属部品の脱脂（洗浄）などの処理工程に広く用いており、このレンズや金属部品などの被処理物を搬送冶具に複数保持し、その状態で処理槽に搬送してバッチ式に処理液に浸漬させてウエット処理を行っていた（例えば、特許文献１を参照）。図４は、このようなウエット処理を行う従来のウエット処理装置を示す構成図である。また、図５は、図４に示したウエット処理装置の動作を示す図であり、図５（ａ）は被処理物１を処理槽２８に浸漬する前の状態を、図５（ｂ）は被処理物１を処理槽２８に浸漬した状態を各々示している。
【０００４】
図４に示すように、従来のウエット処理装置は、被処理物１を複数収容する金網からなる箱状の搬送冶具２２と、この搬送冶具２２を載置して所定方向に誘導して搬送するレール体２４と、このレール体２４の下部に少なくとも１つ以上配置されて被処理物１を浸漬させてウエット処理する処理液を貯留した処理槽２８と、この処理槽２８の上部に配置したレール体２４の一部を昇降可能に保持して搬送した搬送冶具２２とともに降下させて処理液に浸漬させることで被処理物１をウエット処理する昇降手段２６とを備えている。
【０００５】
ここで、処理槽２８、レール体２４、及び昇降手段２６は、一体に周囲を囲んでユニット化する本体２０を更に備え、この本体２０内に内蔵して常に清浄な状態を維持している。また、昇降手段２６は、レール体２４の一部を保持するハンガ２６ａを備え、このハンガ２６ａをモータまたはシリンダなどによる推力の上下動機構により昇降する構造を備えている。また、レール体２４は、搬送冶具２２を載置して回転式のローラ、チェーン、ベルトなどの搬送手段（図４では複数配列したローラ）を用いることで次の処理工程に水平搬送できるように形成している。この際、搬送冶具２２は、図５（ａ）に示すように、本体２０内でレール体２４の上部に沿って摺動する搬送機構２１を備え、この搬送機構２１により押されて処理槽２８の位置まで搬送している。そして、処理槽２８は、図５（ａ）に示したように、オーバーフロー槽に形成しており、このオーバーフローした処理液が配管２９を介してポンプ２９ａ及びフィルタ２９ｂに供給されて濾過することで再び槽内に循環するように形成している。
【０００６】
このような従来のウエット処理装置を用いてウエット処理を行う場合、図５（ａ）に示したように、まず、搬送冶具２２に被処理物１を複数収容してレール体２４に載置するとともに、この搬送冶具２２を搬送機構２１により押してスライド搬送することで処理槽２８の上部まで移動させる。そして、搬送冶具２２が処理槽２８の上部まで移動すると、図５（ｂ）に示すように、搬送機構２１を停止すると同時に、昇降手段２６を駆動してハンガ２６ａを降下させることでレール体２４と搬送冶具２２とを処理槽２８内に浸漬させる。これにより搬送冶具２２は、処理槽２８に貯留した処理液に浸漬して内部に収納した複数の被処理物１をウエット処理する。この際、処理槽２８では、ポンプ２９ａを駆動させてオーバーフローする処理液を配管２９を介してポンプ２９ａ及びフィルタ２９ｂに供給して濾過することで再び槽内に循環する。その後、ウエット処理が終了すると、図５（ａ）に示したように、再び、昇降手段２６のハンガ２６ａを上昇させて搬送機構２１により搬送冶具２２を次の処理工程に搬送する。
【０００７】
このように従来のウエット処理装置は、被処理物１を搬送冶具２２内に複数収納して本体２０内のレール体２４に載置することで、この本体２０内で搬送機構２１が処理槽２８まで自動的に搬送するとともに昇降手段２６によりウエット処理を円滑に処理して次工程に搬送できるように形成していた。
【０００８】
【発明が解決しようとする課題】
しかしながら、従来のウエット処理装置では、図５（ｂ）に示したように、ハンガ２６ａやレール体２４が搬送冶具２６とともに処理槽２８内に浸漬するため、このハンガ２６ａやレール体２４が干渉しないように処理槽２８内の容積を大きく設ける必要があり、処理液が大量に必要になるとともに、フィルタ２９ｂ及びポンプ２９ａにより循環して濾過する効率も悪くなるという不具合があった。また、従来のウエット処理装置では、前述したように、ウエット処理に直接関係のないハンガ２６ａやレール体２４のような部品が処理槽２８内に直接浸漬してしまうため、処理槽２８内の清浄度を上げられないという問題もある。
さらに、従来のウエット処理装置では、前述したように処理槽２８の容積が大きくなると同時に、この処理槽２８の近傍にレール体２４を昇降させる昇降手段２６の配置スペースを確保する必要があるため、装置全体（本体２０）が大型化し、例えば、複数の処理槽２８を連設させて種々の処理液を用いる場合、この処理槽２８毎に昇降手段２６が必要になり非常に装置全体が大型化するという欠点があった。
本発明はこのような課題を解決し、処理槽を小さくして装置全体を小型化することで処理液の使用量を低減して槽内が清浄で循環効率が向上するウエット処理装置を提供することを目的とする。
【０００９】
【課題を解決するための手段】
本発明は上述の課題を解決するために、複数の被処理物を空中保持する搬送冶具と、この搬送冶具の両下端に係合して所定方向に誘導して搬送するレール体と、このレール体の下部に少なくとも１つ以上配置されて被処理物を浸漬させてウエット処理する処理液を貯留した処理槽と、レール体の下部で処理槽を昇降可能に保持して搬送冶具を搬送して待機する被処理物の空中保持した下部から処理槽を上昇させて処理液に浸漬させてウエット処理する昇降手段とを備える。
【００１０】
ここで、搬送冶具は、被処理物を複数収容する籠部と、この籠部を吊り下げる上部から両側に延在する枠部と、この枠部の下部に延在してレール体に係合する下端部とを備え、レール体に下端部を係合して籠部を吊設した状態にすることで下部から処理槽を上昇させてウエット処理することが好ましい。また、搬送冶具の他の実施例は、被処理物を少なくとも１つ保持する保持部と、この保持部を複数吊り下げる上部から両側に延在する枠部と、この枠部の下部に延在してレール体に係合する下端部とを備え、レール体に下端部を係合して保持部を複数吊設した状態にすることで下部から処理槽を上昇させてウエット処理することが好ましい。また、レール体は、搬送冶具を回転式のローラ、チェーン、ベルトなどの搬送手段を用いることで次の処理工程に水平搬送することが好ましい。また、昇降手段は、処理槽をモータまたはシリンダなどによる推力の上下動機構により昇降させることが好ましい。また、処理槽は、オーバーフロー槽に形成し、このオーバーフローした処理液が配管を介してポンプ及びフィルタに供給されて濾過することで再び槽内に循環することが好ましい。また、処理槽は、昇降手段により昇降する際、ポンプ及びフィルタを接続する配管に柔軟性を有したフレキシブル配管や回転継ぎ手を介在することで負荷を掛けないように考慮して設けることが好ましい。また、処理槽、レール体、及び昇降手段は、一体に周囲を囲んでユニット化する本体を更に備えて内蔵していることが好ましい。また、本体は、処理槽を１槽毎にユニット分割し、目的に応じて処理槽を複数直列に接続して構成することが好ましい。
【００１１】
【発明の実施の形態】
次に、添付図面を参照して本発明によるウエット処理装置の実施の形態を詳細に説明する。図１は、本発明によるウエット処理装置の一実施形態を示す構成図である。また、図２は、図１に示した搬送冶具の他の実施例を示す図である。また、図３は、図１に示したウエット処理装置の動作を示す図であり、図３（ａ）は被処理物１を処理槽１８に浸漬する前の状態を、図３（ｂ）は被処理物１を処理槽１８に浸漬した状態を各々示している。
【００１２】
図１に示すように、本発明によるウエット処理装置の一実施形態は、図４に示した従来技術と同様にレンズや金属部品などの被処理物１をウエット処理する装置であり、複数の被処理物１を空中保持する搬送冶具１２と、この搬送冶具１２の両下端に係合して所定方向に誘導して搬送するレール体１４と、このレール体１４の下部に少なくとも１つ以上配置されて被処理物１を浸漬させてウエット処理する処理液を貯留した処理槽１８とを備えている。
【００１３】
ここで、処理槽１８は、図４に示した従来技術とは異なり、レール体１４の下部で昇降手段１６により昇降可能に保持されており、レール体１４で搬送冶具１２を搬送して待機する被処理物１の空中保持した下部から上昇して被処理物１を処理液に浸漬させてウエット処理するように形成している。また、搬送冶具１２は、被処理物１を複数収容する金網からなる凹状の籠部１２ａと、この籠部１２ａを吊り下げるために上部から両側に延在する枠部１２ｂと、この枠部１２ｂの下部に延在してレール体１４に係合する下端部１２ｃとを備え、レール体１４に下端部１２ｃを係合して籠部１２ａを吊設した状態にすることで下部から処理槽１８を上昇させてウエット処理するように形成している。ここで、搬送冶具１２は、被処理物１を収容する籠部１２ａを設けて吊り下げる実施例を説明したが、これに限定されるものではなく、例えば、被処理物を１つずつ保持して複数吊り下げることも可能である。このような被処理物を１つずつ保持して吊り下げる搬送冶具１３の他の実施例は、図２に示すように、被処理物１を少なくとも１つ保持（図２では単一のレンズを保持）する保持部１３ａと、この保持部１３ａを複数吊り下げる上部から両側に延在した枠部１３ｂと、この枠部１３ｂの下部に延在してレール体１４（図１参照）に係合する下端部１３ｃとを備え、レール体１４に下端部１３ｃを係合して保持部１３ａを複数吊設した状態にすることで下部から処理槽１８（図１参照）を上昇させてウエット処理する。このうような搬送冶具の他の実施例では、複数の被処理物１を枠部１３ｂに吊り下げる構造のため、図１に示した搬送冶具と同様の効果を得ることができる。
【００１４】
再び、図１を参照して、レール体１４は、搬送冶具１３の下端部１３ｃに係合する回転式のローラ、チェーン、ベルトなどの搬送手段（図１では複数配列させたローラ）を用いて構成し、次の処理工程に水平搬送できるように形成している。このレール体１４は、下端部１２ｃの底部に両側から略円柱状のローラを突出し、このローラの径が外側に向かって広がり下端部１２ｃが外れないように両端を保持している。また、レール体１４は、図示していないモータなどの駆動源によりローラを回転するように形成している。従って、本実施の形態は、レール体１４で搬送する搬送冶具１２の下方から処理槽１８を上昇させてウエット処理する構造のため、搬送冶具１２の籠部１２ａのみが浸漬する小型の処理槽１８を形成することが可能になる。
【００１５】
また、処理槽１８、レール体１４、及び昇降手段１６は、図４に示した従来技術と同様に、一体に周囲を囲んでユニット化する本体１０を備え、この本体１０内に内蔵して常に清浄な状態を維持している。また、昇降手段１６は、処理槽１８を保持するハンガ１６ａを備え、このハンガ１６ａをモータまたはシリンダなどによる推力の上下動機構により昇降する構造を備えている。ここで、昇降手段１６は、従来技術のように処理槽の近傍でレール部を昇降させる配置スペースを設ける必要がなく、レール部１４の下部に設置できるため、本体１０内の狭い設置スペースでも配置でき、装置全体を小型化することができる。そして、処理槽１８は、図３（ａ）に示したように、オーバーフロー槽に形成し、このオーバーフローした処理液が配管１９を介してポンプ１９ａ及びフィルタ１９ｂに供給されて濾過することで再び槽内に循環するように形成している。この際、処理槽１８は、従来技術とは異なり、昇降手段１６により昇降する際、ポンプ１９ａ及びフィルタ１９ｂを接続する配管１９に柔軟性を有したフレキシブル配管１９ｃを介在することで、配管１９に負荷を掛けないように考慮して配置している。
【００１６】
ところで、本実施の形態では、図１に示した本体１０内に複数の処理槽１８を配列させることも可能であるが、例えば、処理槽１８を１槽毎にユニット分割した本体１０を複数設け、この１槽毎の処理槽１８を備える本体１０を目的に応じて直列に複数接続して構成することも可能である。これにより本実施の形態では、処理目的の違う本体を複数直列接続することで、処理要求に応じた種々の構成を容易に実現でき、多様化する処理工程に対応することができる。ここで、被処理物がプラスチックレンズの場合、例えば、アルカリ洗浄工程、すすぎ処理工程、乾燥工程、コーティング処理工程、熱硬化工程などのプラスチックレンズ製造工程を有しており、本実施形態の処理液を変えてアルカリ洗浄工程（アルカリ系溶剤）、すすぎ処理工程（シスイ、純水）、コーティング処理工程（コート液）に各々対応させることができる。
【００１７】
そして、このような本発明によるウエット処理装置の一実施形態を用いてウエット処理を行う場合、図３（ａ）に示したように、まず、搬送冶具１２の籠部１２ａに被処理物１を複数収容してレール体１４に載置するとともに、このレール体１４のローラを駆動源（図示せず）により回転することで搬送冶具１２をスライド搬送させて処理槽１８の上部まで移動させる。搬送冶具１２が処理槽１８の上部まで移動すると、図３（ｂ）に示すように、レール体１４の回転を停止して下端部１２ｃの搬送を止めると同時に、昇降手段１６が駆動することでハンガ１６ａに保持した処理槽１８を搬送冶具１２の枠部１２ｂに吊り下げた籠部１２ａに向けて上昇させる。この際、配管１９は、ポンプ１９ａ及びフィルタ１９ｂと処理槽１８との間にフレキブル配管１９ｃを介在していることで、図３（ｂ）に示したように、このフレキブル配管１９ｃが処理槽１８の上昇とともに伸長して負荷が掛かることを防止する。これにより搬送冶具１２は、処理槽１８に貯留した処理液内に籠部１２ａのみを浸漬し、この内部に収納した複数の被処理物１をウエット処理する。この際、処理槽１８では、ポンプ１９ａを駆動させてオーバーフローする処理液を配管１９を介してポンプ１９ａ及びフィルタ１９ｂに供給して濾過することで再び槽内に循環させる。その後、ウエット処理が終了すると、図３（ａ）に示したように、再び、昇降手段１６のハンガ１６ａを下降させてレール体１４を駆動して搬送冶具１２を次の処理工程（例えば、乾燥工程）に搬送する。
【００１８】
このように、本発明によるウエット処理装置の一実施形態によると、図３（ｂ）に示したように、搬送冶具１２の籠部１２ａのみを処理槽１８内の処理液に浸漬する構造のため、処理槽１８の容積を籠部１２ａに合わせて小型化することができ、処理液の使用量も低減するとともに、フィルタ１９ｂ及びポンプ１９ａにより循環して濾過する効率を同時に向上できる。従って、本実施の形態は、装置の消費電力が少なくなりランニングコストの低減が期待できるとともに、ウエット処理後の排液を少なくして環境負荷の低減に貢献する。
【００１９】
また、本発明によるウエット処理装置の一実施形態によると、前述したように処理槽１８内の処理液に搬送冶具１２の籠部１２ａのみを浸漬させてウエット処理する構造のため、この籠部１２ａ及び被処理物１以外の部品による処理液の汚染を防止し、処理槽１８内の清浄度を上げることができる。
【００２０】
さらに、本発明によるウエット処理装置の一実施形態によると、処理槽１８を小型化するとともに昇降手段１６をレール体１４の下部に配置して本体１０内の設置スペースを最小にするため、複数の処理槽１８を配列して種々の処理液を用いた場合でも装置全体（本体１０）を小型化することができる。従って、本実施の形態では、図３に示した従来技術の装置に比べて装置寸法に明確な違いが生ずるとともに、例えば、プラスチックレンズ用の製造装置の場合、装置長さと奥行きがそれぞれ約半分になり、製造コスト削減にも寄与する事ができる。
【００２１】
以上、本発明によるウエット処理装置の実施の形態を詳細に説明したが、本発明は前述した実施の形態に限定されるものではなく、その要旨を逸脱しない範囲で変更可能である。
例えば、処理槽を複数連設してウエット処理する実施例を説明したが、これに限定されるものではなく、本体内に単一の処理槽のみを密閉して被処理物をウエット処理することも可能である。
【００２２】
【発明の効果】
このように本発明によるウエット処理装置によれば、被処理物を複数空中保持した搬送冶具のみを処理槽内の処理液に浸漬させる構造のため、この処理槽の容積を搬送冶具に合わせて小型化することができ、処理液の使用量も低減することができる。
また、本発明によるウエット処理装置によれば、前述したように処理槽内の処理液に搬送冶具のみを浸漬させてウエット処理する構造のため、この搬送冶具及び被処理物以外の部品による処理液の汚染を防止し、処理槽内の清浄度を上げることができる。
さらに、本発明によるウエット処理装置によれば、処理槽を小型化するとともに昇降手段をレール部の下部に配置して装置内の設置スペースを最小にできるため、複数の処理槽を配列して種々の処理液を用いても装置全体の大きさを小型化することができる。
【図面の簡単な説明】
【図１】本発明によるウエット処理装置の一実施形態を示す構成図。
【図２】図１に示した搬送冶具の他の実施例を示す図。
【図３】図１に示したウエット処理装置の動作を示す図。
【図４】従来のウエット処理装置を示す構成図。
【図５】図４に示したウエット処理装置の動作を示す図。
【符号の説明】
１    被処理体
１０    本体
１２    搬送冶具
１２ａ  籠部
１２ｂ  枠部
１２ｃ  下端部
１４    レール体
１６    昇降手段
１６ａ  ハンガ
１８    処理槽
１９    配管
１９ａ  ポンプ
１９ｂ  フィルタ
１９ｃ  フレキシブル配管
【図１】
2004216237.tif 000003
【図２】
2004216237.tif 000004
【図３】
2004216237.tif 000005
【図４】
2004216237.tif 000006
【図５】
2004216237.tif 000007